(57)【要約】  ＩＰマルチメディア・サブシステム（ＩＭＳ）におけるリング・バック・トーン（ＲＢＴ）を再生するための方法、システム及びマルチメディア・リング・バック・トーン・アプリケーション・サーバ（ＭＲＢＴ  ＡＳ）を提供する。ＩＭＳネットワークは、加入者のＲＢＴ再生方策を記憶し、ＲＢＴ再生方策は、呼び出されるユーザのＩＤ、呼び出されるユーザの状況情報及びＲＢＴ  ＩＤの内の対応関係を含む。当該方法は、ネットワークがＲＢＴ再生要求を受信した後、呼び出されるユーザの現在の状況情報を得る段階と、対応関係に従って呼び出されるユーザの現在の状況情報及び呼び出されるユーザのＩＤに対応するＲＢＴ  ＩＤを決定する段階と、呼び出しユーザにＲＢＴを再生する段階と、を含む。本開示によれば、ＲＢＴは、呼び出されるユーザの現在の状況に従って選択されて、呼び出しユーザに再生され得る。
2010516211.tif 000002
【特許請求の範囲】
【請求項１】
ＩＰマルチメディア・サブシステム（ＩＭＳ）ネットワークにおけるリング・バック・トーン（ＲＢＴ）を再生するための方法であって、
呼び出されるユーザの現在の状況情報を得る段階と、
加入者の状況情報及びＲＢＴ  ＩＤ間の対応関係に従って呼び出されるユーザの現在の状況情報に対応するＲＢＴ  ＩＤを決定する段階と、
ＲＢＴ  ＩＤに従って呼び出しユーザにＲＢＴ  ＩＤによって識別されたＲＢＴを再生する段階と、
を含む方法。
【請求項２】
状況情報は、プレゼンス情報、場所情報、好適な通信モードまたはユーザ装置（ＵＥ）能力を含む請求項１に記載の方法。
【請求項３】
呼び出されるユーザの現在の状況情報を得る段階の前に、当該方法は、
呼び出されるユーザのＲＢＴ再生方策を得る段階と、
ＲＢＴ再生方策が加入者の状況情報に基づいているか否かを判断する段階と、
ＲＢＴ再生方策が加入者の状況情報に基づいている場合には呼び出されるユーザの現在の状況情報を得る段階と、
をさらに含む請求項１に記載の方法。
【請求項４】
ＲＢＴ再生方策は、呼び出されるユーザのＩＤ、呼び出されるユーザの状況情報及びＲＢＴ  ＩＤの内の対応関係を含む請求項３に記載の方法。
【請求項５】
ＲＢＴ再生方策が、さらに、優先順位ＩＤを含むならば、当該方法は、
呼び出されるユーザの状況情報及びＲＢＴ  ＩＤ間の対応関係に従って１つ以上のＲＢＴ  ＩＤを決定するとき、一層高い優先順位を有する１つのＲＢＴ  ＩＤを選択する段階と、
一層高い優先順位を有するＲＢＴ  ＩＤに従って呼び出しユーザに一層高い優先順位を有するＲＢＴ  ＩＤによって識別されたＲＢＴを再生する段階と、
を含む方法。
【請求項６】
ＩＰマルチメディア・サブシステム（ＩＭＳ）ネットワークにおけるリング・バック・トーン（ＲＢＴ）を再生するためのシステムであって、
加入者の現在の状況情報を記憶して管理するよう適合されたプレゼンス・サーバと、
呼び出されるユーザの現在の状況情報を得、呼び出されるユーザの状況情報及びＲＢＴ  ＩＤ間の対応関係に従って呼び出されるユーザの現在の状況情報に対応するＲＢＴ  ＩＤを決定し、そして該決定されたＲＢＴ  ＩＤを通知メッセージとして送るよう適合されたマルチメディア・リング・バック・トーン・アプリケーション・サーバ（ＭＲＢＴ  ＡＳ）と、
ＭＲＢＴ  ＡＳから送られた通知メッセージを受け取った後、呼び出しユーザに決定されたＲＢＴ  ＩＤによって識別されたＲＢＴを再生するよう適合されたメディア・リソース・サーバ（ＭＲＳ）と、
を備えたシステム。
【請求項７】
ＭＲＢＴ  ＡＳは、
呼び出されるユーザのＩＤ、呼び出されるユーザの状況情報及びＲＢＴ  ＩＤの内の対応関係を含む加入者のＲＢＴ再生方策を記憶するよう適合された記憶ユニットと、
呼び出されるユーザのＩＤを担うＲＢＴ再生要求を受信するよう適合された受信ユニットと、
受信ユニットがＲＢＴ再生要求を受信した後、呼び出されるユーザのＩＤを含むＲＢＴ再生方策を記憶ユニットが記憶しているか否かを判断するよう適合された第１の判断ユニットと、
呼び出されるユーザのＩＤを含むＲＢＴ再生方策を記憶ユニットが記憶しているということを第１の判断ユニットが決定した後、呼び出されるユーザの現在の状況情報をプレゼンス・サーバから得、記憶ユニットに記憶された対応関係に従って呼び出されるユーザの現在の状況情報及び呼び出されるユーザのＩＤに対応するＲＢＴ  ＩＤを決定するよう適合された決定ユニットと、
決定ユニットによって決定された決定されたＲＢＴ  ＩＤによって識別されたＲＢＴを呼び出しユーザに再生することについてＭＲＳに通知するよう適合された通知ユニットと、
を備えた請求項６に記載のシステム。
【請求項８】
状況情報は、プレゼンス情報、場所情報、好適な通信モードまたはユーザ装置（ＵＥ）の能力を含む請求項６または７に記載のシステム。
【請求項９】
ＭＲＢＴ  ＡＳ及びプレゼンス・サーバは、直接的にまたは一体化されたサービス・バスを介して間接的に接続される請求項６または７に記載のシステム。
【請求項１０】
ＭＲＢＴ  ＡＳは、セッション・イニシエーション・プロトコル（ＳＩＰ）またはシンプル・オブジェクト・アクセス・プロトコル（ＳＯＡＰ）を介してプレゼンス・サーバと通信する請求項９に記載のシステム。
【請求項１１】
ＲＢＴ再生方策がさらに優先順位ＩＤを含むならば、決定ユニットは、
対応の関係に従って１つまたは２つ以上のＲＢＴ  ＩＤを決定するよう適合された第２の判断ユニットと、
第２の判断ユニットが対応関係に従って１つのＲＢＴ  ＩＤを決定した後、呼び出されるユーザのＩＤ及び呼び出されるユーザの現在の状況情報に対応するＲＢＴ  ＩＤとして１つのＲＢＴ  ＩＤを決定するか、または第２の判断ユニットが対応関係に従って１つ以上のＲＢＴ  ＩＤを決定した後、一層高い優先順位を有するＲＢＴ  ＩＤを選択し、そして呼び出されるユーザのＩＤ及び呼び出されるユーザの現在の状況情報に対応するＲＢＴ  ＩＤとして一層高い優先順位を有する選択されたＲＢＴ  ＩＤを決定するか、するよう適合された選択ユニットと、
を備えた請求項７に記載のシステム。
【請求項１２】
メディア・リング・バック・トーン・アプリケーション・サーバ（ＭＲＢＴ  ＡＳ）であって、
呼び出されるユーザのＩＤを担うＲＢＴ再生要求を受信した後、呼び出されるユーザの現在の状況情報を得ることについてインターフェース・モジュールに通知し、そして呼び出されるユーザの状況情報及びＲＢＴ  ＩＤ間の対応関係に従って呼び出されるユーザのＩＤ及び呼び出されるユーザの現在の状況情報に対応するＲＢＴ  ＩＤを決定するよう適合された管理制御モジュールと、
インターフェース・モジュールは、呼び出されるユーザの現在の状況情報をプレゼンス・サーバから得るよう適合され、
管理制御ユニットによって決定されたＲＢＴ  ＩＤによって識別されるＲＢＴを呼び出しユーザに再生することについてメディア・リソース・サーバ（ＭＲＳ）に通知するよう適合されたマルチメディア制御モジュールと、
を備えたサーバ。
【請求項１３】
呼び出されるユーザのＩＤ、呼び出されるユーザの状況情報及びＲＢＴの内の対応関係を含む呼び出されるユーザのＲＢＴ再生方策を記憶するよう適合された方策記憶ユニットを備える請求項１２に記載のサーバ。
【請求項１４】
管理制御モジュールが、
呼び出されるユーザのＩＤを担うＲＢＴ再生要求を受信するよう適合された受信ユニットと、
受信ユニットがＲＢＴ再生要求を受信した後、呼び出されるユーザのＩＤを含むＲＢＴ再生方策を方策記憶ユニットが記憶しているか否かを判断するよう適合された第１の判断ユニットと、
方策記憶モジュールが呼び出されるユーザのＩＤを含むＲＢＴ再生方策を記憶しているということを第１の判断ユニットが決定した後、呼び出されるユーザの現在の状況情報を得ることについてインターフェース・モジュールに通知するよう適合された通知ユニットと、
方策記憶モジュールに記憶された対応関係に従って呼び出されたユーザの現在の状況情報及び呼び出されるユーザのＩＤに対応するＲＢＴ  ＩＤを決定するよう適合された決定ユニットと、
を備える請求項１３に記載のサーバ。
【請求項１５】
ＲＢＴ再生方策がさらに優先順位ＩＤを含むならば、決定ユニットは、
対応関係に従って１つまたは２つ以上のＲＢＴ  ＩＤを決定するよう適合された第２の判断ユニットと、
第２の判断ユニットが対応関係に従って１つのＲＢＴ  ＩＤを決定した後、呼び出されるユーザの現在の状況情報及び呼び出されるユーザのＩＤに対応するＲＢＴ  ＩＤとして１つのＲＢＴ  ＩＤを決定するか、もしくは第２の判断ユニットが対応関係に従って１つ以上のＲＢＴ  ＩＤを決定した後、一層高い優先順位を有する１つのＲＢＴ  ＩＤを選択し、そして呼び出されるユーザの現在の状況情報及び呼び出されるユーザのＩＤに対応するＲＢＴ  ＩＤとして一層高い優先順位を有する選択されたＲＢＴ  ＩＤを決定するか、するよう適合された選択ユニットと、
を備える請求項１４に記載のサーバ。
【発明の詳細な説明】
【技術分野】
【０００１】
本開示は、ＩＰ通信技術に関し、特に、ＩＰマルチメディア・サブシステム（ＩＭＳ）ネットワークにおけるリング・バック・トーン（ＲＢＴ）を再生するための方法、システム、及びサーバに関する。
【背景技術】
【０００２】
現在、ＩＭＳネットワークは、セッション・イニシエーション・プロトコル（ＳＩＰ）ベースのＲＢＴ（呼出音）サービス及びプレゼンス・サービスを提供し得る。
【０００３】
プレゼンス・サービスは、プレゼンス・サービス加入者の現在のプレゼンス情報を提供する。プレゼンス情報は、到達可能性、現在の通信モード、利用可能性、ムード、及びユーザ装置（ＵＥ）の場所を含む、多数の状況情報を含み得る。プレゼンス・サーバは、プレゼンス・サービス加入者のプレゼンス情報を記憶して管理する。場所情報のようなプレゼンス情報は、加入者によって手動で変更し得るか、もしくは関連のネットワーク装置によって更新され得る。変更されたプレゼンス情報は、プレゼンス情報に加入するプレゼンス・サービス加入者にプレゼンス・サーバによって通知され得る。
【０００４】
ＲＢＴサービスは、移動加入者及び固定されたラインの加入者が、伝統的なものと取替えるよう特別のＲＢＴをカスタマイズして（誂えて作って）、該ＲＢＴを呼び出しユーザに再生するのを許容する。異なったオペレータによって提供されるネットワークにおいて、ＲＢＴサービスは、異なった名称によって識別され得る。
【０００５】
加入者によってカスタマイズされたＲＢＴは、音楽または予め録音された音声情報を含むオーディオ・クリップ、またはビデオ、オーディオまたは他のメディアを含むマルチメディア情報であり得る。ＲＢＴサービス加入者は、インターネット上のポータルを通してサービス・プロバイダまたはオペレータによって提供されるＲＢＴファイルを選択するか、もしくはインターネットに加入者が編集するＲＢＴファイルをアップロードするか、もしくは著作権の許可を有する個人使用のための他の加入者のＲＢＴをコピーするか、をし得る。ＲＢＴサービス加入者は、また、これらのＲＢＴファイルを再生するための異なった方策（policies）を設定し得る。例えば、加入者は、異なった時間区間において異なったＲＢＴファイルを再生するか、または異なった呼び出しユーザに異なったＲＢＴファイルを再生するか、し得る。呼び出しユーザが、ＲＢＴサービスをすでに申請している加入者を呼び出すとき、呼び出しユーザは、伝統的なトーンではなく、加入者によって選択されたＲＢＴファイル情報を見るかまたは聞き得る。
【０００６】
現在、ＲＢＴサービス加入者によって設定されたＲＢＴ再生方策は、固定されたネットワークまたは移動ネットワークにおいて固定されている。固定されたＲＢＴファイルは、固定された呼び出しユーザに対してまたは固定された時間区間において再生されるか、もしくは固定されたＲＢＴファイルのグループがランダムなまたは循環的なモードで再生される。加入者が、彼のまたは彼女のプレゼンス状況に従ってＲＢＴ再生方策を設定したとしても、ＲＢＴファイルは、加入者が呼び出されたときの加入者の現在のプレゼンス状況に従って決定され得ず、その理由は、ネットワークにおけるマルチメディア・リング・バック・トーン・アプリケーション・サーバ（ＭＲＢＴ  ＡＳ）が、呼び出されたユーザの現在のプレゼンス情報を得ることができないからである。従って、呼び出しユーザが得るところのものは、特定の時間区間または呼び出しユーザに対して呼び出されたユーザによって設定されたＲＢＴ情報であり、呼び出されたユーザの現在のプレゼンス状況に従って設定されたＲＢＴ情報に対するものではない。
【発明の概要】
【発明が解決しようとする課題】
【０００７】
本開示の実施形態は、ＩＭＳによって提供されるＲＢＴサービスにおける呼び出されるユーザの現在の状況に従ってＲＢＴが再生されないという課題を解決するためにＩＭＳネットワークにおけるＲＢＴを再生するための方法、システム及びサーバを提供する。
【課題を解決するための手段】
【０００８】
本開示の実施形態によるＩＰマルチメディア・サブシステム（ＩＭＳ）ネットワークにおけるリング・バック・トーン（ＲＢＴ）を再生するための方法は、呼び出されるユーザの現在の状況情報を得る段階と、加入者の状況情報及びＲＢＴ  ＩＤ間の対応関係に従って呼び出されるユーザの現在の状況情報に対応するＲＢＴ  ＩＤを決定する段階と、ＲＢＴ  ＩＤに従って呼び出しユーザにＲＢＴ  ＩＤに対応するＲＢＴを再生する段階と、を含む。
【０００９】
本開示の実施形態によるＩＰマルチメディア・サブシステム（ＩＭＳ）ネットワークにおけるリング・バック・トーン（ＲＢＴ）を再生するためのシステムは、
加入者の現在の状況情報を記憶して管理するよう適合されたプレゼンス・サーバと、
呼び出されるユーザの現在の状況情報を得、加入者の状況情報及びＲＢＴ  ＩＤ間の対応関係に従って呼び出されるユーザの現在の状況情報に対応するＲＢＴ  ＩＤを決定し、そして該ＲＢＴ  ＩＤを通知メッセージとして送るよう適合されたマルチメディア・リング・バック・トーン・アプリケーション・サーバ（ＭＲＢＴ  ＡＳ）と、
ＭＲＢＴ  ＡＳから送られた通知メッセージを受け取った後、呼び出しユーザにＲＢＴ  ＩＤによって識別されたＲＢＴを再生するよう適合されたメディア・リソース・サーバ（ＭＲＳ）と、
を含む。
【００１０】
本開示の実施形態によるメディア・リング・バック・トーン・アプリケーション・サーバ（ＭＲＢＴ  ＡＳ）は、
呼び出されるユーザのＩＤを担うＲＢＴ再生要求を受信した後、呼び出されるユーザの現在の状況情報を得ることについてインターフェース・モジュールに通知し、そして呼び出されるユーザの状況情報及びＲＢＴ  ＩＤ間の対応関係に従って呼び出されるユーザのＩＤ及び呼び出されるユーザの現在の状況情報に対応するＲＢＴ  ＩＤを決定するよう適合された管理制御モジュールと、
インターフェース・モジュールは、呼び出されるユーザの現在の状況情報をプレゼンス・サーバから得るよう適合され、
管理制御ユニットによって決定されたＲＢＴ  ＩＤに従ってＲＢＴ  ＩＤによって識別されるＲＢＴを呼び出しユーザに再生することについてメディア・リソース・サーバ（ＭＲＳ）に通知するよう適合されたマルチメディア制御モジュールと、
を含む。
【００１１】
本開示の実施形態において、ＲＢＴ再生方策は、ネットワークに記憶され、ここに、ＲＢＴ再生方策は、呼び出されるユーザのＩＤ、呼び出されるユーザの状況情報、及びＲＢＴ  ＩＤの内の対応関係を含み得る。呼び出しユーザのＩＤ及び呼び出されるユーザのＩＤを担うＲＢＴ再生要求が受信された後、呼び出されるユーザの現在の状況情報が得られ、呼び出されるユーザの現在の状況情報及び呼び出されるユーザのＩＤに対応するＲＢＴ  ＩＤが、ＲＢＴ再生方策に記憶された対応関係に従って決定され、そして次に、ＲＢＴ  ＩＤによって識別されたＲＢＴが呼び出しユーザに再生される。本開示の実施形態は、呼び出されるユーザの現在の状況に従って呼び出しユーザにＲＢＴを再生する機能を履行し、それ故、加入者が一層柔軟なサービスを設定して良好な体験を有するのを可能とする。
【図面の簡単な説明】
【００１２】
【図１】本開示の実施形態によるＲＢＴサービスを履行するためのネットワーク図である。
【図２】本開示の実施形態によるＲＢＴサービスを履行するフローチャートである。
【図３】本開示の実施形態による信号送信のフローチャートである。
【図４】本開示の実施形態によるシステムの構成を示す図である。
【図５】本開示の実施形態によるＭＲＢＴ  ＡＳの構成を示す図である。
【図６】本開示の実施形態によるＭＲＢＴ  ＡＳの内部モジュールを呼び出すプロセスを示す図である。
【発明を実施するための形態】
【００１３】
本開示の実施形態は、ＩＭＳネットワークにおけるＲＢＴを再生するための技術的解決法を提供する。該技術的解決法は、呼び出されたユーザの現在の状況に従って再生されるべきＲＢＴをネットワークが決定し得るように、ＩＭＳネットワークによって提供されるＲＢＴサービスをプレゼンス・サービスと結合する。
【００１４】
図１は、以下のネットワーク・エンティティを含む技術的解決法のネットワーク図である。
【００１５】
プレゼンス・サーバ（Presence Server）は、プレゼンス・サービス加入者の状況情報を記憶して管理するように適合されている。
【００１６】
マルチメディア・リング・バック・トーン・アプリケーション・サーバ（ＭＲＢＴ  ＡＳ）は、サービス制御、ＲＢＴ再生方策の選択、認可及び呼び出し詳細記録（ＣＤＲ）生成を含むＲＢＴサービス制御プロセスを提供するよう適合されている。ＲＢＴサービス制御プロセスは、呼び出されたユーザの現在の状況情報を得ること、加入者の状況情報及びＲＢＴ  ＩＤ間の対応関係に従って呼び出されたユーザの現在の状況情報に対応するＲＢＴ  ＩＤを決定すること、及びＲＢＴ  ＩＤに対応する関連のＲＢＴファイルを再生するためにＭＲＳに通知すること、を含み得る。
【００１７】
ＭＲＳは、ＲＢＴファイルを記憶し、呼び出しユーザにＲＢＴ  ＩＤに対応するＲＢＴファイルを再生するよう適合されている。
【００１８】
プロキシ−コール・セッション制御ファンクション（Ｐ−ＣＳＣＦ）エンティティは、ＩＭＳにアクセスするよう加入者によって用いられる。
【００１９】
サービング−コール・セッション制御ファンクション（Ｓ−ＣＳＣＦ）エンティティは、セッション及びサービス・トリガリングを制御してサービス制御のためにＡＳと相互作用するよう適合されている。
【００２０】
ホーム加入者サーバ（ＨＳＳ）は、加入者の加入データを均一に管理するよう適合されている。
【００２１】
ポータルは、加入者自身のＲＢＴ再生方策を設定して管理するよう加入者によって用いられ、ＲＢＴファイルにアップロードするかまたは加入する。
【００２２】
図１に示されるように、ＩＭＳサービス制御（ＩＳＣ）基準ポイントは、ＳＩＰを介してＡＳ及びＣＳＣＦ間でメッセージを交換するよう適合されている。基準ポイントＳｈは、認可、許可及び課金（charging）サービスを提供するダイアメータ（Diameter）・プロトコルを介してＡＳ及びＨＳ間でメッセージを交換するよう適合されている。基準ポイントＭｒは、ＳＩＰを介してＭＲＳ及びＳ−ＣＳＣＦ間でメッセージを交換するよう適合されている。基準ポイントＭｗは、ＳＩＰを介してＣＳＣＦ間でメッセージを交換するよう適合されている。基準ポイントＧｍは、ＳＩＰを介してＣＳＣＦ及びＵＥ間でメッセージを交換するよう適合されている。ＭＲＢＴ  ＡＳは、シンプル・オブジェクト・アクセス・プロトコル（ＳＯＡＰ）を介してポータルと通信し、そしてＭＲＳは、リアル−タイム・トランスファ・プロトコル（ＲＴＰ）を介してＵＥと通信する。
【００２３】
プレゼンス・サーバは、ＭＲＢＴ  ＡＳと直接に、または一体化されたサービス・バス（ＩＳＢ）を通して間接的に通信し得る。プレゼンス・サーバは、ＳＩＰまたはＳＯＡＰを介してＭＲＢＴ  ＡＳと通信し得る。
【００２４】
図２に示されるように、本開示の実施形態により提供される方法は、以下のステップを含む。
【００２５】
ステップ６０１：呼び出されたユーザは、状況情報に従ってＲＢＴ再生方策を設定し、そしてネットワークは、該ＲＢＴ再生方策を記憶する。
【００２６】
呼び出されたユーザは、状況情報に従ってポータルを通してＲＢＴ再生方策を設定し得、すなわち、呼び出されたユーザは、異なった状態に従って異なったＲＢＴを選択し得る。ポータルは、加入者によって設定されたＲＢＴ再生方策をそれ自身のデータベースに記憶し、そしてＭＲＢＴ  ＡＳは、必要なときに方策情報を得るか、またはポータルは、ＲＢＴ再生方策をＭＲＢＴ  ＡＳに送って、ＭＲＢＴ  ＡＳは、該方策をそれ自身のデータベースに記憶する。ＲＢＴ再生方策は、また、該方策がＭＲＢＴ  ＡＳによってアクセスされ得る限り他の態様で記憶され得る。
【００２７】
ＲＢＴ再生方策は、加入者ＩＤ、加入者の状況情報及びＲＢＴ  ＩＤのうちの対応の関係を含み得る。
【００２８】
好ましくは、状況情報は、プレゼンス・タイプＩＤ及びプレゼンス値を含み得、ＲＢＴ再生方策は、優先順位ＩＤを含み得る。状況情報に従って設定されるＲＢＴ再生方策、例えば、時間区間、呼び出しユーザ及びグループに従って設定されるものは、通常のＲＢＴ再生方策よりも高い優先順位を有する。従って、ここでいう優先順位は、状況情報に従って設定される多数のＲＢＴ再生方策間の優先順位関係に言及している。方策は、昇順または降順の順番であって良いが、しかし反復されるべきではない。プレゼンス・タイプＩＤは、加入者によって設定される状況情報のタイプ、例えば、場所のタイプまたは通信利用可能性のタイプを識別する。プレゼンス値は、プレゼンス・タイプに対応する値である。例えば、プレゼンス・タイプが場所のタイプであるとき、プレゼンス値は、ローミングであり得る。ＲＢＴ  ＩＤは、ＲＢＴファイルを記憶するための経路を含み得る。このように、優先順位ＩＤ、プレゼンス・タイプＩＤ、プレゼンス値、及びＲＢＴ  ＩＤを含むＲＢＴ再生方策は、以下の四次グループ・フォーマットで記憶され得る。
【００２９】
｜優先順位ID｜プレゼンス・タイプID｜プレゼンス値｜RBT ID｜
【００３０】
ステップ６０２：呼び出されたユーザの状況が設定され、ネットワークは、状況情報を記憶する。
【００３１】
呼び出されたユーザが或る状況を変更するとき、呼び出されたユーザは、それ自身の状況を設定し得る。例えば、加入者が彼または彼女自身の状況を、ドライブする前にＵＥを通して「ドライブ」として設定し、そしてネットワークにおけるプレゼンス・サーバが、呼び出されたユーザＩＤと設定された状況情報との間の対応関係を記憶する。呼び出されたユーザの場所が変更されるとき、ネットワークは、呼び出されたユーザの状況を更新する。例えば、呼び出されたユーザが商用旅行に出かけているまたは他の場所に旅行しているとき、ネットワークによって提供される場所サービスは、呼び出されたユーザの状況を「ローミング」として設定し、そして呼び出されたユーザＩＤと状況情報との間の対応関係を記憶する。呼び出されたユーザの現在の状況は、単一ではないかも知れない。例えば、呼び出されたユーザが他の場所にドライブしているならば、プレゼンス・サーバは、呼び出されたユーザの多数の状況情報を同時に記憶し得る。
【００３２】
ステップ６０３：呼び出しユーザが呼び出されたユーザを呼び出し、そしてネットワークが、呼び出されたユーザのＲＢＴ再生方策を得て、呼び出されたユーザの現在の状況情報を得るべきか否かを判断する。
【００３３】
呼び出しユーザが呼び出されたユーザを呼び出すとき、ネットワークにおけるＭＲＢＴ  ＡＳは、呼び出されたユーザがＲＢＴサービス加入者である場合に、呼び出されたユーザからのＲＢＴ再生要求を受信し得る。ＲＢＴ再生要求は、呼び出しユーザのＩＤ及び呼び出されたユーザのＩＤを担持する（carries）。
【００３４】
ＭＲＢＴ  ＡＳは、ポータルまたはＭＲＢＴ  ＡＳのデータベースから、呼び出されたユーザのＩＤを含むＲＢＴ再生方策を得る。もし得られたＲＢＴ方策が状況情報、すなわち、状況情報に従って加入者によって設定されたＲＢＴ再生方策に基づいているならば、ＭＲＢＴ  ＡＳは、プレゼンス・サーバから呼び出されたユーザの現在の状況情報を得ることを必要とし、そしてプロセスはステップ６０４に行く。もし得られたＲＢＴ再生方策が状況情報に基づいていないならば、ＭＲＢＴ  ＡＳは、呼び出されたユーザの現在の状況情報を得ることを必要とせず、そしてプロセスは、ステップ６０５に行く。ＲＢＴ再生方策が状況情報に基づいているか否かを判断するための方法は、ＲＢＴ再生方策に情報タイプのＩＤを追加することである。情報タイプのＩＤは、ＲＢＴ再生方策が状況情報に基づいているか否かを識別する。
【００３５】
ステップ６０４：ネットワークは、呼び出されたユーザの現在の状況情報を得、そして現在の状況情報及びＲＢＴ再生方策に従って再生されるべきＲＢＴを決定する。次に、プロセスは、ステップ６０６に行く。
【００３６】
ネットワークにおけるＭＲＢＴ  ＡＳは、プレゼンス・サーバに呼び出されたユーザのＩＤの状況を伝える（carrying）要求を送ることにより、呼び出されたユーザの現在の状況情報を得る。状況要求を受けた後、プレゼンス・サーバは、記憶された呼び出されたユーザのＩＤと状況情報との間の対応関係に従って呼び出されたユーザのＩＤに対応する現在の状況情報を決定する。
【００３７】
プレゼンス・サーバによって戻された呼び出されたユーザの現在の状況情報を受け取った後、ＭＲＢＴ  ＡＳは、ステップ６０３において得られた呼び出されたユーザの状況情報に基づくＲＢＴ再生方策及び状況情報に従って再生されるべきＲＢＴを決定する。特定の方法は、以下の通りである。ＭＲＢＴ  ＡＳは、ステップ６０１において記憶されたＲＢＴ  ＩＤ、状況情報及び呼び出されたユーザのＩＤの内の対応関係に従って現在の状況情報及び呼び出されたユーザのＩＤに対応するＲＢＴ  ＩＤを決定し、そして決定されたＲＢＴを再生されるべきＲＢＴとして取る。ＭＲＢＴ  ＡＳが対応関係に従って１つ以上のＲＢＴ  ＩＤを決定したならば、ＭＲＢＴ  ＡＳは、ＲＢＴ再生方策における優先順位のＩＤに従ってより高い優先順位を有する１つのＲＢＴを再生されるべきＲＢＴとして決定する。
【００３８】
ステップ６０５：ネットワークは、得られたＲＢＴ再生方策に従って再生されるべきＲＢＴを決定する。
【００３９】
得られたＲＢＴ再生方策が、ステップ６０３に記載された状況情報に基づいていないならば、ＭＲＢＴ  ＡＳは、得られたＲＢＴ再生方策に従って生成されるべきＲＢＴ  ＩＤを決定する。ＲＢＴ再生方策は、プレゼンス情報よりもむしろ呼び出しユーザ及び時間区間に従って設定される。
【００４０】
ステップ６０６：ネットワークは、呼び出しユーザに、決定されたＲＢＴを再生する。
【００４１】
ＭＲＢＴ  ＡＳは、ＭＲＳに決定されたＲＢＴ  ＩＤを送る。ＭＲＳは、ＲＢＴ  ＩＤに従ってＲＢＴを得て、呼び出しユーザにＲＢＴを再生する。
【００４２】
この方法において、ステップ６０３及びステップ６０４は、また、以下の様にも履行され得る。
【００４３】
最初に、ネットワークは、呼び出されたユーザの現在の状況情報を得、次に、呼び出されたユーザにより現在の状況に対して設定されたＲＢＴ再生方策を得、ここに、ＲＢＴ再生方策は現在の状況を含み、そして得られたＲＢＴ再生方策に従って再生されるべきＲＢＴを決定する。ネットワークが、呼び出されたユーザによって現在の状況に対して設定されたＲＢＴ再生方策を得ることに失敗したならば、ネットワークは、プレゼンス情報に従うのではなくむしろ時間区間及び呼び出しユーザに従って、呼び出されたユーザによって設定されたＲＢＴ再生方策を得る。次に、ネットワークは、得られたＲＢＴ再生方策に従って再生されるべきＲＢＴを決定する。
【００４４】
以後、当該方法を本開示の特定の実施形態を参照して説明する。
【００４５】
図３に示されるように、この実施形態においては、呼び出されたユーザは、現在の状況に従ってＲＢＴ再生方策をすでに設定しており、すなわち、ネットワークにおけるＭＲＢＴ  ＡＳは、呼び出されたユーザのＩＤ、現在の状況情報及びＲＢＴ  ＩＤのうちの対応関係を記憶している。呼び出しユーザのプロセスは、呼び出されたユーザを呼び出し、ＭＲＢＴ  ＡＳの情報伝達（シグナリング）相互作用プロセスは、呼び出されたユーザからＲＢＴ再生要求を受け取り、そして引き続く会話またはオンフック・プロセスは図３においては省略されている。図３は、再生されるべきＲＢＴを選択するプロセスを記載している。該プロセスは、以下のステップを含む。
【００４６】
ステップ７０１：呼び出しユーザは、呼び出されるユーザを呼び出す。呼び出しＵＥは、セッション及び交渉メディアを創設する。ＭＲＢＴ  ＡＳは、ＲＢＴ再生要求２００  ＯＫ（ＰＲＡＣＫ）を受け取る。
【００４７】
ステップ７０２：ＭＲＢＴ  ＡＳは、呼び出されるユーザの状況情報に基づくＲＢＴ再生方策がＭＲＢＴ  ＡＳに記憶されているか否かを判断する。
【００４８】
ステップ７０３：呼び出されるユーザの状況情報に基づくＲＢＴ再生方策がＭＲＢＴ  ＡＳに記憶されているならば、ＭＲＢＴ  ＡＳは、プロセス・サーバに状況要求メッセージを送る。
【００４９】
このステップは、ＳＵＢＳＣＲＩＢＥ要求メッセージ及び対応の応答メッセージを含むＳＩＰトランザクション・プロセスに関与する。以下は、ＳＵＢＳＣＲＩＢＥ要求メッセージ及び対応の応答メッセージの相互作用情報伝達の例を与える。
【００５０】
【表１】
2010516211.tif 000003
【００５１】
ステップ７０４：プレゼンス・サーバは、ＭＲＢＴ  ＡＳに、呼び出されるユーザの現在の状況情報を含むメッセージを戻す。
【００５２】
このステップは、ＮＯＴＩＦＹメッセージ及び対応の応答メッセージを含むＳＩＰトランザクション・プロセスに関与する。以下は、ＮＯＴＩＦＹメッセージ及び対応の応答メッセージの相互作用情報伝達の例を与える。この例は、現在の加入者が会議状況にあるということを示しており、プレゼンス情報を如何に得るかを説明するためだけに用いられる。
【００５３】
【表２】
2010516211.tif 000004
2010516211.tif 000005
【００５４】
ステップ７０５：ＭＲＢＴ  ＡＳは、呼び出されるユーザの状況情報に基づくＲＢＴ再生方策及び戻された現在の状況情報に従って再生されるべきＲＢＴを決定する。
【００５５】
ステップ７０６：ＭＲＢＴ  ＡＳは、呼び出しユーザに対し決定されたＲＢＴを再生することについてＭＲＳに通知する。
【００５６】
ステップ７０７：ＭＲＳは、ＭＲＢＴ  ＡＳに応答メッセージ（２００  ＯＫ）を送る。
【００５７】
ステップ７０８：ＭＲＳは、呼び出しユーザにＲＢＴを再生する。
【００５８】
先行するプロセスにおいて、ＩＮＦＯ要求は、ＳＩＰの拡張されたメッセージの種類である。定義のためにＲＦＣ２９７６を参照されたし。ＩＮＦＯメッセージ体において、メディア再生情報は、再生メディアについてＭＲＳに通知するよう特定される。
【００５９】
この実施形態において、もしＭＲＢＴ  ＡＳが、呼び出されるユーザの状況情報に基づいてＲＢＴ再生方策を記憶するならば、ＲＢＴ再生要求を受け取った後に、ＭＲＢＴ  ＡＳは、ＳＩＰメッセージ相互作用を介してプレゼンス・サーバから呼び出されるユーザの現在の状況情報を得、現在の状況情報及び記憶されたＲＢＴ再生方策に従って再生されるべきＲＢＴを決定し、そして呼び出しユーザに対し決定されたＲＢＴを再生することについてＭＲＳに通知する。先行する解決法は、加入者の現在の状況に従ってＲＢＴ再生方策を設定するための加入者の要件を満足する。呼び出されるユーザが状況情報に基づいてＲＢＴ再生方策を設定するならば、ＭＲＢＴ  ＡＳは、現在の状況情報のプレゼンス・サーバに従ってかつ記憶されたＲＢＴ再生方策と組み合わせて、呼び出さしユーザに再生されるべきＲＢＴを決定し、そして呼び出されるユーザの現在の状況情報がプレゼンス・サーバから得られる。呼び出されるユーザの状況に従って呼び出しユーザにＲＢＴを再生するためのこの方法は、シナリオに従ってＲＢＴを動的に選択して再生し得、従って、ユーザの体験を改善する。
【００６０】
図４は、本開示の実施形態によるＩＭＳネットワークにおけるＲＢＴを再生するためのシステムを示す。このシステムは、ＭＲＢＴ  ＡＳ８０１、ＭＲＳ８０２及びプレゼンス・サーバ８０３を含む。ＭＲＢＴ  ＡＳ８０１は、加入者のＲＢＴ再生方策を記憶するよう適合されている。ＲＢＴ再生方策は、加入者のＩＤ、状況情報及びＲＢＴ  ＩＤの内の対応関係を含む。呼び出しユーザのＩＤ及び呼び出されるユーザのＩＤを含むＲＢＴ再生方策を受け取った後、ＭＲＢＴ  ＡＳ８０１が、呼び出されるユーザのＩＤを含むＲＢＴ再生方策を記憶するならば、ＭＲＢＴ  ＡＳ８０１は、プレゼンス・サーバ８０３から呼び出されるユーザの現在の状況情報を得、対応関係に従って呼び出されるユーザの現在の状況情報及び呼び出されるユーザのＩＤに対応するＲＢＴ  ＩＤを決定し、そしてＲＢＴ  ＩＤに従って呼び出しユーザにＲＢＴ  ＩＤによって識別されたＲＢＴを再生することについてＭＲＳに通知する。ＭＲＳ８０２は、通知を受け取った後に呼び出しユーザにＲＢＴ  ＩＤによって識別されたＲＢＴを再生するよう適合される。プレゼンス・サーバ８０３は、加入者の現在の状況情報を記憶するよう適合される。
【００６１】
ＭＲＢＴ  ＡＳ８０１は、記憶ユニット８０１１、受信ユニット８０１２、第１の判断ユニット８０１３、決定ユニット８０１４及び通知ユニット８０１５を含む。記憶ユニット８０１１は、加入者のＲＢＴ再生方策を記憶するよう適合され、加入者のＲＢＴ再生方策は、加入者のＩＤ、状況情報及びＲＢＴ  ＩＤの内の対応関係を含む。受信ユニット８０１２は、呼び出しユーザのＩＤ及び呼び出されるユーザのＩＤを含むＲＢＴ再生要求を受け取るよう適合される。第１の判断ユニット８０１３は、記憶ユニット８０１１が、ＲＢＴ再生要求を受け取った後に呼び出されるユーザのＩＤを含むＲＢＴ再生方策を記憶するか否かを判断するよう適合される。決定ユニット８０１４は、記憶ユニット８０１１がＲＢＴ再生方策を記憶したということを第１の判断ユニット８０１３が決定した後にプレゼンス・サーバ８０３から呼び出されるユーザの現在の状況情報を得るよう適合され、そして記憶ユニット８０１１に記憶された対応関係に従って呼び出されるユーザの現在の状況情報及び呼び出されるユーザのＩＤに対応するＲＢＴ  ＩＤを決定する。通知ユニット８０１５は、決定ユニット８０１４によって決定されたＲＢＴ  ＩＤによって識別されるＲＢＴを呼び出しユーザに再生することについてＭＲＳに通知するよう適合される。
【００６２】
状況情報は、プレゼンス情報、場所情報、好ましい通信モードまたはＵＥ能力を含み得る。ＭＲＢＴ  ＡＳ８０１及びプレゼンス・サーバ８０２３は、直接的にまたはＩＳＢを介して間接的に接続される。ＭＲＢＴ  ＡＳ８０１は、ＳＩＰまたはＳＯＡＰプロトコルを介してプレゼンス・サーバ８０３と通信する。
【００６３】
ＲＢＴ再生方策がまた優先順位のＩＤをも含むならば、決定ユニット８０１４は、第２の判断ユニット８０１４１及び選択ユニット８０１４２を含む。第２の判断ユニット８０１４１は、対応関係に従って１つまたは２つ以上のＲＢＴ  ＩＤを決定するよう適合される。選択ユニット８０１４２は、第２の判断ユニット８０１４１が対応関係に従って１つのＲＢＴ  ＩＤを決定するならば、呼び出されるユーザのＩＤ及び呼び出されるユーザの現在の状況情報に対応するＲＢＴ  ＩＤとしてＲＢＴ  ＩＤを決定するよう適合され、もしくは第２の判断ユニット８０１４１が対応関係に従って１つ以上のＲＢＴ  ＩＤを決定するならば、一層高い優先順位を有するＲＢＴ  ＩＤを選択し、かつ呼び出されるユーザのＩＤ及び呼び出されるユーザの現在の状況情報に対応するＲＢＴ  ＩＤとして選択されたＲＢＴ  ＩＤを決定する。
【００６４】
図５は、本開示の実施形態によるＭＲＢＴ  ＡＳを示す。ＭＲＢＴ  ＡＳは、ＩＭＳネットワークにおいてＲＢＴを再生するためのシステムに用いられ得る。ＭＲＢＴ  ＡＳは、方策記憶モジュール９０１、管理制御モジュール９０２、インターフェース・モジュール９０３及びマルチメディア制御モジュール９０４を含み得る。方策記憶モジュール９０１は、加入者のＩＤ、状況情報及びＲＢＴ  ＩＤの内の対応関係を含む加入者のＲＢＴ再生方策を記憶するよう適合される。管理制御モジュール９０２は、呼び出しユーザのＩＤ及び呼び出されるユーザのＩＤを含むＲＢＴ再生要求を受けた後、方策記憶モジュール９０１が呼び出されるユーザのＩＤを含むＲＢＴ再生方策を記憶するならば、呼び出されるユーザの現在の状況情報を得ることについてインターフェース・モジュールに通知し、そして方策記憶モジュール９０１によって記憶された対応関係に従って呼び出されるユーザの現在の状況情報及び呼び出されるユーザのＩＤに対応するＲＢＴ  ＩＤを決定するよう適合される。インターフェース・モジュール９０３は、プレゼンス・サーバ８０３から呼び出されるユーザの現在の状況情報を得るように適合される。マルチメディア制御モジュール９０４は、管理制御モジュール９０２によって決定されるＲＢＴ  ＩＤによって識別されるＲＢＴを呼び出しユーザに再生することについてＭＲＳに通知するよう適合される。
【００６５】
管理制御モジュール９０２は、受信ユニット９０２１、第１の判断ユニット９０２２、通知ユニット９０２３及び決定ユニット９０２４を含み得る。受信ユニット９０２１は、呼び出しユーザのＩＤ及び呼び出されるユーザのＩＤを含むＲＢＴ再生要求を受信するよう適合される。第１の判断ユニット９０２２は、要求を受信した後、呼び出されるユーザのＩＤを含むＲＢＴ再生方策を方策記憶モジュール９０１が記憶しているか否かを判断するよう適合される。通知ユニット９０２３は、方策記憶モジュール９０１が呼び出されるユーザのＩＤを含むＲＢＴ再生方策を記憶することを決定した後、呼び出されるユーザの現在の状況情報を得ることについてインターフェース・モジュール９０３に通知するよう適合される。決定ユニット９０２４は、方策記憶モジュール９０１によって記憶された対応関係に従って呼び出されるユーザの現在の状況情報及び呼び出されるユーザのＩＤに対応するＲＢＴ  ＩＤを決定するよう適合される。
【００６６】
もし、ＲＢＴ再生方策が優先順位のＩＤをも含むならば、決定ユニット９０２４は、第２の判断ユニット９０２４１及び選択ユニット９０２４２を含み得る。第２の判断ユニット９０２４１は、対応関係に従って１つまたは２つ以上のＲＢＴ  ＩＤを決定するよう適合される。選択ユニット９０２４２は、対応関係に従って１つのＲＢＴ  ＩＤを第２の判断ユニット９０２４１が決定するならば、呼び出されるユーザの現在の状況情報及び呼び出されるユーザのＩＤに対応するＲＢＴ  ＩＤとしてＲＢＴ  ＩＤを決定し、もしくは対応関係に従って１つ以上のＲＢＴ  ＩＤを第２の判断ユニットが決定するならば、一層高い優先順位を有するＲＢＴ  ＩＤを選択し、そして呼び出されるユーザの現在の状況情報及び呼び出されるユーザのＩＤに対応するＲＢＴ  ＩＤとして、選択されたＲＢＴ  ＩＤを決定するよう適合される。
【００６７】
ＲＢＴ再生方策は、以下の四次グループ・フォーマットにおいて方策記憶モジュール９０１によって読取られかつ記憶され得る。
【００６８】
｜優先順位ID｜プレゼンス状況タイプID｜プレゼンス値｜RBT ID｜
【００６９】
このフォーマットにおける各データ項目の意味及び使用は、以前に述べたものと同じであり得る。優先順位ＩＤの使用は、以下の利点を有し得る。呼び出されるユーザが多数の状態、例えば、ローミング及び運転状態にあるとき、ＭＲＢＴ  ＡＳがプレゼンス・サーバ８０３から受け取る、呼び出されるユーザの状況情報は、多数のプレゼンス値を含み得る。多数のＲＢＴ再生方策が記憶されるならば、多数のＲＢＴ  ＩＤが決定され得る。優先順位のＩＤは、一層高い優先順位を有するＲＢＴを選択して呼び出しユーザに一層高い優先順位を有するＲＢＴを再生するよう用いられ得る。
【００７０】
先行する四次グループは、三次グループと置き換えられ得るかまたは他の補助データを加えることによって五次もしくはそれ以上のグループに拡張され得る。
【００７１】
以下は、設定状況情報に基づくＲＢＴ再生方策に従ってＲＢＴを選択して再生するプロセスにおいてＭＲＢＴ  ＡＳの内部モジュール（またこれらのモジュールの呼び出し関係）が如何に作用するかを記載する。図６を参照する。
【００７２】
ステップ１００１：管理制御モジュール９０２は、加入者からＲＢＴ再生要求を受信する。
【００７３】
ステップ１００２：管理制御モジュール９０２は、ポータルを通して加入者によって設定されたＲＢＴ再生方策を、データベースまたは他のデータ記憶媒体から得るために、方策記憶モジュール９０１を呼び出す。
【００７４】
ステップ１００３：管理制御モジュール９０２は、状況情報に基づくＲＢＴ再生方策が、得られた方策に含まれているか否かを判断する。図６は、この場合だけを記載する。
【００７５】
ステップ１００４：管理制御モジュール９０２は、インターフェース・モジュール９０３を介してプレゼンス・サーバ８０３から、呼び出されるユーザの現在の状況情報を要求する。
【００７６】
ステップ１００５：管理制御モジュール９０２は、得られた現在の状況情報及びＲＢＴ再生方策に従って再生されるべきＲＢＴを決定する。
【００７７】
ステップ１００６：管理制御モジュール９０２は、マルチメディア制御モジュール９０４を介して呼び出しユーザにＲＢＴを再生することについてＭＲＳに通知する。
【００７８】
結論として、本開示の実施形態によれば、呼び出しユーザに再生されるＲＢＴは、呼び出されるユーザの現在の状況及び設定されたＲＢＴ再生方策に従って決定され得る。従って、ＲＢＴは、シナリオに従って動的に選択されかつ再生され得、ユーザの体験は、大いに改善され得る。
【００７９】
当業者は、本開示の精神及び範囲から逸脱することなく本開示に対して種々の変更及び変化を行い得るのは明瞭である。本開示は、それらの変更及び変化が特許請求の範囲もしくはその等価物によって限定される保護範囲にあるならば、それらを包摂することが意図される。
【符号の説明】
【００８０】
８０１              ＭＲＢＴ  ＡＳ
８０１１            記憶ユニット
８０１２            受信ユニット
８０１３            第１の判断ユニット
８０１４            決定ユニット
８０１４１          第２の判断ユニット
８０１４２          選択ユニット
８０１５            通知ユニット
８０２              ＭＲＳ
８０３              プレゼンス・サーバ
９０１              方策記憶モジュール
９０２              管理制御モジュール
９０２１            受信ユニット
９０２２            第１の判断ユニット
９０２３            通知ユニット
９０２４            決定ユニット
９０２４１          第２の判断ユニット
９０２４２          選択ユニット
９０３              インターフェース・モジュール
９０４              マルチメディア制御モジュール
【図１】
2010516211.tif 000006
【図２】
2010516211.tif 000007
【図３】
2010516211.tif 000008
【図４】
2010516211.tif 000009
【図５】
2010516211.tif 000010
【図６】
2010516211.tif 000011
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
ＩＰマルチメディア・サブシステム、ＩＭＳ、ネットワークにおけるリング・バック・トーン、ＲＢＴ、を再生するための方法であって、
呼び出されるユーザの現在の状況情報を得る段階と、
加入者の状況情報及びＲＢＴ  ＩＤ間の対応関係に従って呼び出されるユーザの現在の状況情報に対応するＲＢＴ  ＩＤを決定する段階と、
ＲＢＴ  ＩＤに従って呼び出しユーザにＲＢＴ  ＩＤによって識別されたＲＢＴを再生する段階と、
を含む方法。
【請求項２】
状況情報は、プレゼンス情報、場所情報、好適な通信モードまたはユーザ装置、ＵＥ、能力を含む請求項１に記載の方法。
【請求項３】
呼び出されるユーザの現在の状況情報を得る段階の前に、当該方法は、
呼び出されるユーザのＲＢＴ再生方策を得る段階と、
ＲＢＴ再生方策が加入者の状況情報に基づいているか否かを判断する段階と、
ＲＢＴ再生方策が加入者の状況情報に基づいている場合には呼び出されるユーザの現在の状況情報を得る段階と、
をさらに含む請求項１に記載の方法。
【請求項４】
ＲＢＴ再生方策は、呼び出されるユーザのＩＤ、呼び出されるユーザの状況情報及びＲＢＴ  ＩＤの内の対応関係を含む請求項３に記載の方法。
【請求項５】
ＲＢＴ再生方策が、さらに、優先順位ＩＤを含むならば、当該方法は、
呼び出されるユーザの状況情報及びＲＢＴ  ＩＤ間の対応関係に従って１つ以上のＲＢＴ  ＩＤを決定するとき、一層高い優先順位を有する１つのＲＢＴ  ＩＤを選択する段階と、
一層高い優先順位を有するＲＢＴ  ＩＤに従って呼び出しユーザに一層高い優先順位を有するＲＢＴ  ＩＤによって識別されたＲＢＴを再生する段階と、
を含む方法。
【請求項６】
メディア・リング・バック・トーン・アプリケーション・サーバ、ＭＲＢＴ  ＡＳ、であって、
呼び出されるユーザのＩＤを担うＲＢＴ再生要求を受信した後、呼び出されるユーザの現在の状況情報を得ることについてインターフェース・モジュール（９０３）に通知し、そして呼び出されるユーザの状況情報及びＲＢＴ  ＩＤ間の対応関係に従って呼び出されるユーザのＩＤ及び呼び出されるユーザの現在の状況情報に対応するＲＢＴ  ＩＤを決定するよう適合された管理制御モジュール（９０２）と、
インターフェース・モジュール（９０３）は、呼び出されるユーザの現在の状況情報をプレゼンス・サーバ（８０３）から得るよう適合され、
管理制御ユニット（９０２）によって決定されたＲＢＴ  ＩＤによって識別されるＲＢＴを呼び出しユーザに再生することについてメディア・リソース・サーバ（ＭＲＳ）（８０２）に通知するよう適合されたマルチメディア制御モジュール（９０４）と、
を備えたサーバ。
【請求項７】
呼び出されるユーザのＩＤ、呼び出されるユーザの状況情報及びＲＢＴの内の対応関係を含む呼び出されるユーザのＲＢＴ再生方策を記憶するよう適合された方策記憶ユニット（９０１）を備える請求項６に記載のサーバ。
【請求項８】
管理制御モジュールが、
呼び出されるユーザのＩＤを担うＲＢＴ再生要求を受信するよう適合された受信ユニット（９０２１）と、
受信ユニット（９０２１）がＲＢＴ再生要求を受信した後、呼び出されるユーザのＩＤを含むＲＢＴ再生方策を方策記憶ユニット（９０１）が記憶しているか否かを判断するよう適合された第１の判断ユニット（９０２２）と、
方策記憶モジュール（９０１）が呼び出されるユーザのＩＤを含むＲＢＴ再生方策を記憶しているということを第１の判断ユニット（９０２２）が決定した後、呼び出されるユーザの現在の状況情報を得ることについてインターフェース・モジュールに通知するよう適合された通知ユニット（９０２３）と、
方策記憶モジュール（９０１）に記憶された対応関係に従って呼び出されたユーザの現在の状況情報及び呼び出されるユーザのＩＤに対応するＲＢＴ  ＩＤを決定するよう適合された決定ユニット（９０２４）と、
を備える請求項７に記載のサーバ。
【請求項９】
ＲＢＴ再生方策がさらに優先順位ＩＤを含むならば、決定ユニット（９０２４）は、
対応関係に従って１つまたは２つ以上のＲＢＴ  ＩＤを決定するよう適合された第２の判断ユニット（９０２４１）と、
第２の判断ユニット（９０２４１）が対応関係に従って１つのＲＢＴ  ＩＤを決定した後、呼び出されるユーザの現在の状況情報及び呼び出されるユーザのＩＤに対応するＲＢＴ  ＩＤとして１つのＲＢＴ  ＩＤを決定するか、もしくは第２の判断ユニット（９０２４１）が対応関係に従って１つ以上のＲＢＴ  ＩＤを決定した後、一層高い優先順位を有する１つのＲＢＴ  ＩＤを選択し、そして呼び出されるユーザの現在の状況情報及び呼び出されるユーザのＩＤに対応するＲＢＴ  ＩＤとして一層高い優先順位を有する選択されたＲＢＴ  ＩＤを決定するか、するよう適合された選択ユニット（９０２４２）と、
を備える請求項８に記載のサーバ。
【請求項１０】
請求項６乃至９のいずれかのマルチメディア・リング・バック・トーン・アプリケーション・サーバ、ＭＲＢＴ  ＡＳ、（８０１）、プレゼンス・サーバ（８０３）及びメディア・リソース・サーバ、ＭＲＳ、（８０２）を備えたＩＰマルチメディア・サブシステム、ＩＭＳ、ネットワークにおけるリング・バック・トーン、ＲＢＴ、を再生するためのシステムであって、
プレゼンス・サーバ（８０３）は、加入者の現在の状況情報を記憶して管理するよう適合され、
メディア・リソース・サーバ、ＭＲＳ、（８０２）は、ＭＲＢＴ  ＡＳ（８０１）から送られた通知メッセージを受信した後、呼び出しユーザに、決定されたＲＢＴ  ＩＤによって識別されたＲＢＴを再生するよう適合され、
ているシステム。
【請求項１１】
状況情報は、プレゼンス情報、場所情報、好適な通信モードまたはユーザ装置、ＵＥ、の能力を含む請求項１０に記載のシステム。
【請求項１２】
ＭＲＢＴ  ＡＳ（８０１）及びプレゼンス・サーバ（８０３）は、直接的に、または一体化されたサービス・バスを介して間接的に接続される請求項１０に記載のシステム。
【請求項１３】
ＭＲＢＴ  ＡＳは、セッション・イニシエーション・プロトコル、ＳＩＰまたはシンプル・オブジェクト・アクセス・プロトコル、ＳＯＡＰを介してプレゼンス・サーバ（８０３）と通信する請求項１２に記載のシステム。
【国際調査報告】
2010516211.tif 000012
2010516211.tif 000013
2010516211.tif 000014
2010516211.tif 000015
2010516211.tif 000016
2010516211.tif 000017